【手続補正書】
【提出日】平成25年10月3日(2013.10.3)
【手続補正１】
【補正対象書類名】特許請求の範囲
【補正対象項目名】全文
【補正方法】変更
【補正の内容】
【特許請求の範囲】
【請求項１】
フレーム（５０１、６０１、７０１）とこれに接続された表面シート（１０６）とを備えるアーチ型の支持体を有する育児用具と、
育児用具（１００、５００、６００、７００）に設けた開口部（３０５、３５８）と、  育児用具に取り付けるべき物品（１０３、３０２、４０１）とから構成され、物品（１０３）は、開口部（３０５、３５８）よりも大である主体部（２０１、４０１）を備え、物品は、主体部に結合された圧縮可能部材（２０２、３０６、４０２）をも備え、圧縮可能部材（２０２、３０６、４０２）は、圧縮可能部材が、非圧縮状態にある場合、開口部（３０５、３５８）よりも大であり、圧縮可能部材は、開口部（３０５、３５８）よりも小である大きさに圧縮可能なように構成されることにより、圧縮可能部材（２０２、３０６、４０２）は、開口部を通過して圧縮可能部材（２０２、３０６、４０２）と主体部（２０１、４０１）とを開口部（３０５、３５８）の両側に位置付けることができる、育児用具システム（１００、５００、６００、７００）において、
前記アーチ型の支持体のフレームは、半硬性ロッド（１０７ａ、１０７ｂ）と、半硬性ロッド（１０７ａ、１０７ｂ）にスライド自在に嵌まる実質的に硬性のクリップ（３０１）とで構成され、クリップは、育児用具システムの開口部を構成する貫通穴（３０５、３５８）を備える育児用具システム。
【請求項２】
前記ロッド（１０７ａ、１０７ｂ）は、前記クリップ（３０１）が、布製筒状部材状上をスライド自在に、布製筒状部材等の前記育児用具内に埋め込まれる請求項１に記載のシステム。
【請求項３】
前記ロッド（１０７ａ、１０７ｂ）は、露出されたまま、前記育児用具に結合され、前記クリップ（３０１）は、前記ロッド（１０７ａ、１０７ｂ）上を直接スライド自在になっている請求項１に記載のシステム。
【請求項４】
前記クリップ（３０１）は、全体的に環状形で、前記ロッド（１０７ａ、１０７ｂ）にスライド自在に嵌まる通路（３０３、３５６）を備え、通路（３０３、３５６）は、前記クリップ（３０１）の一側に設けられる請求項１に記載のシステム。
【請求項５】
前記通路（３０３、３５６）は、前記ロッドの包み込み材を嵌めるスロット（３０４，３５４）を備える請求項４に記載のシステム。
【請求項６】
前記スロット（３５４）は、前記クリップ本体に対してほぼ垂直である請求項５に記載のシステム。
【請求項７】
前記スロット（３０４）は、前記クリップ本体に対して平行である請求項５に記載のシステム。
【請求項８】
前記主体部（２０１、４０１）と前記圧縮可能部材（２０２、３０６、４０２）とは、綱状部材（２０３）により結合され、前記圧縮可能部材と前記主体部（２０１、４０１）とが、前記開口部（３０５、３５８）の両側に位置付けられると、綱状部材（２０３）は、前記開口部を通過する、請求項１に記載の育児用具システム。
【請求項９】
前記育児用具は、プレイジム（１００）、ベビーベッド、ベビーサークル、ブランコ、ベビーバウンサー、折りたたみ式ベビーカー、オムツ替えパッド及びオムツ替えパッドカバーからなる群から選択される、請求項１に記載の育児用具システム。
【請求項１０】
前記圧縮可能部材は、ボール形状、直方体形状、角錐形状、ボタン形状、葉に似た形状、花に似た形状、動物形状及び翼に似た形状からなる群から選択される形状をしている、請求項１に記載の育児用具システム。
【請求項１１】
前記取り付けるべき物品は、玩具（１２２、１２４）、人形、ボール、鏡、直方体物、角錐物、おしゃぶり、動物又は昆虫の形状をした玩具、植物又は花の形状をした玩具、音を出す物品、振動を起こす物品、及び光を発する物品からなる群から選択される物品である、請求項１に記載の育児用具システム。
【請求項１２】
前記開口部は、第１開口部であり、前記取り付けるべき物品は、取り付けるべき第１物品（４０１）であり、前記圧縮可能部材（４０２）は、第１圧縮可能部材であり、さらに、取り付けるべき第１物品（４０１）は、これに第２物品（４０４）を取り付ける構造をした第２開口部（４０３）を有し、第２物品（４０４）を構成する第２圧縮可能部材（４０５）を第２開口部に通すことにより、複数個の玩具を一連なりにする、請求項１に記載の育児用具システム。
【請求項１３】
前記取り付けるべき物品は、第１物品（４０１）であり、本育児用具システムは、第２物品（４０４）を有し、第１及び第２物品（４０１、４０４）は、共に、育児用具に同じ開口部を介して取り付けられる、請求項１に記載の育児用具システム。
【請求項１４】
前記アーチ型の支持体に接続されるパッド（１０１）を有し、パッドは、軌道部材（１３０）と、これにスライド自在に嵌まる通路（３５６）を持つクリップ（３５０）とを備える、請求項１に記載の育児用具システム。
【手続補正２】
【補正対象書類名】明細書
【補正対象項目名】０００２
【補正方法】変更
【補正の内容】
【０００２】
一形態として、育児用具システムは、フレームを備えるアーチ型の支持体とフレームに接続された表面シートとを有する育児用具と、育児用具に設けた開口部と、育児用具に取り付けるべき物品とから構成される。取り付けるべき物品は、開口部よりも大である主体部と、主体部に結合された圧縮可能部材とを備える。圧縮可能部材は、非圧縮状態にある場合、開口部よりも大であり、圧縮可能部材は、開口部よりも小である大きさに圧縮可能なように構成されることにより、圧縮可能部材は、開口部を通過して圧縮可能部材と主体部とを開口部の両側に位置付けることができる。主体部と圧縮可能部材とは、綱状部材により結合し、圧縮可能部材と主体部とが、開口部の両側に位置付けられると、綱状部材が、開口部を通過する状態になるようにしてもよい。開口部は、育児用具に縫い込まれるループ状の布地により構成されてもよい。開口部は、育児用具に取り付けられるループ状の伸縮自在な材料により構成されてもよい。
【手続補正３】
【補正対象書類名】明細書
【補正対象項目名】０００３
【補正方法】変更
【補正の内容】
【０００３】
アーチ型の支持体のフレームは、表面シートに埋め込まれた半硬性ロッドと、半硬性ロッドにスライド自在に嵌まる実質的に硬性のクリップとで構成され、クリップは、貫通穴を備える。育児用具は、プレイジム、ベビーベッド、ベビーサークル、ブランコ、ベビーバウンサー、折りたたみ式ベビーカー、オムツ替えパッド及びオムツ替えパッドカバーであってよい。圧縮可能部材は、ボール形状、直方体形状、角錐形状、その他幾何学的形状、ボタン形状、葉又は花に似た形状、動物形状及び翼に似た形状からなる群から選択される形状をしてよい。取り付けるべき物品は、玩具、人形、ボール、直方体物、角錐物、その他幾何学的形状、鏡、おしゃぶり、動物又は昆虫の形状をした玩具、植物又は花の形状をした玩具、音、振動若しくは光を出す物品、又はこれらを組み合わせた物品からなる群から選択される形状をしてよい。
【手続補正４】
【補正対象書類名】明細書
【補正対象項目名】０００５
【補正方法】変更
【補正の内容】
【０００５】
育児用具は、これに埋め込まれた、又はこれに取り付けられた半硬性のロッド又は軌道部材と、ロッド又は軌道部材にスライド自在に嵌まる、実質的に硬性のクリップとを備える。クリップは、育児用具に物品を取り付ける開口を備える。半硬性のロッドは、育児用具に縫い込まれた布製カバー又は筒状部材に包み込まれることにより、実質的に硬性なクリップが、布製カバー上をスライド移動するようにてもよい。他の形態として、軌道部材は、育児用具の一部に、例えば、マットをカバーする布地、ブランケット、シートカバー等に接続してもよい。軌道部材全体を、育児用具の縫い目に縫い付けられた布製筒状部材に接続して、クリップが筒状部材状をスライド移動できるようにしもよい。こうする代わりに、軌道部材の少なくとも一部を露出させて、クリップが、露出された軌道部材上をスライド移動するようにしてもよい。育児用具は、育児用具は、プレイジム、ベビーベッド、ベビーサークル、ブランコ、ベビーバウンサー、折りたたみ式ベビーカー、カーシート、チャイルドシート、プレーバッド、ハイチェア、オムツ替えパッド又はオムツ替えパッドカバーであってよい。クリップは、概ね環状であり、その一側を通る溝形通路を備え、溝形通路は、半硬性のロッドとスライド自在に収容する構成をしてよい。
【手続補正５】
【補正対象書類名】明細書
【補正対象項目名】０００６
【補正方法】変更
【補正の内容】
【０００６】
育児用具は、これに取り付けるべき物品と組み合わされていてもよい。こうした形態では、物品は、クリップに形成した開口部よりも大である主体部を備え、物品は、主体部に結合された圧縮可能部材を備える。圧縮可能部材は、非圧縮状態である場合、開口部よりも大であり、圧縮可能部材は、開口部よりも小である大きさに圧縮可能なように構成されることにより、圧縮可能部材は、開口部を通過して圧縮可能部材と主体部とを開口部の両側に位置付けることができる。
【手続補正６】
【補正対象書類名】明細書
【補正対象項目名】０００７
【補正方法】変更
【補正の内容】
【０００７】
子供用プレイジムは、基部パッドと天蓋部とを有する。基部パッドは、互いに離れて基部パッドの端部に固定された少なくとも３個の圧縮可能部材を備える。天蓋部は、少なくとも３個の脚部を備え、基部パッドをアーチ型に跨ぐ形状をしている。天蓋部は、また、表面シートとこれに埋め込まれた少なくとも第１及び第２の半硬性ロッドと備える。半硬性ロッドは、各々第１端及び第２端を有する。第１及び第２のロッドの第１端は、少なくとも３個の脚部の内の第１のロッドに沿って延び、第１のロッドの第２端は、少なくとも３個の脚部の内の第２のロッドに沿って延び、第２のロッドの第２端は、少なくとも３個の脚部の内の第３のロッドに沿って延びる。天蓋部は、さらに、各脚部の端に天蓋部取付けループ部を有し、天蓋部取付けループ部の各々は、少なくとも３個の圧縮可能部材の一つに嵌まって天蓋部を基本パッドに取り付ける。天蓋部取付けループ部は、各々、伸縮自在でもよい。天蓋部取付けループ部が、非伸長状態であり、圧縮可能部材が、非圧縮状態である場合、天蓋部取付けループ部の各々は、その対応する圧縮可能部材よりも小であってもよい。子供用プレイジムは、プレイジムに取り付ける物品の一部を収容するように構成された開口部を備えてもよい。開口部は、表面シートに形成した穴により構成されてよい。開口部は、表面シート又は基部パッドのいずれかに縫い込まれる、物品取付け用のループ状布地により構成されてもよい。開口部は、実質的に硬性なクリップを貫通する穴により構成されて、クリップが、半硬性なロッドの一つにスライド自在に嵌まっていてもよい。他の形態として、子供用プレイジムは、これに取り付けられるべき物品と組み合わされる。取り付けるべき物品は、玩具、人形、ボール、直方体物、角錐物、その他幾何学的形状、鏡、おしゃぶり、動物又は昆虫の形状をした玩具、植物又は花の形状をした玩具、音、光若しくは振動を発生す物品、又はこれらを組み合わせた物品でよい。他の形態として、基部パッドは、１個以上の軌道部材を備え、さらに、１個以上のクリップが、軌道部材にスライド自在に取り付けられていてもよい。こうすうと、物品は、クリップに玩具を接続することにより、例えば、玩具の圧縮可能部材をクリップの開口部に通すことにより、基部パッドにスライド自在に接続されることになる。
【手続補正７】
【補正対象書類名】明細書
【補正対象項目名】０００８
【補正方法】変更
【補正の内容】
【０００８】
育児用具に物品を取り付ける方法は、物品の主体部に結合された圧縮可能部材を圧縮し、育児用具に埋め込まれた又は取り付けられた半硬性のロッドにスライド自在に嵌まるクリップに形成した開口部に、圧縮可能部材を通すことにより、圧縮可能部材と主体部とを開口部の両側に位置付け、圧縮可能部材を開口部よりも大である大きさに拡大させ、半硬性のロッドに沿ってクリップをスライドさせることにより、育児用具を用いて物品を子供に近接して位置付ける。育児用具は、プレイジム、ベビーベッド、ベビーサークル、ブランコ、ベビーバウンサー、チャイルドシート付きショッピングカート、折りたたみ式ベビーカー、カーシート、チャイルドシート、プレイパッド、ハイチェア、オムツ替えパッド又はオムツ替えパッドカバーとしてよい。物品は、玩具、人形、ボール、直方体物、角錐物、その他幾何学的形状、鏡、おしゃぶり、動物又は昆虫の形状をした玩具、植物又は花の形状をした玩具、音、光若しくは振動を発生する物品、又はこれらを組み合わせた物品としてよい。
【手続補正８】
【補正対象書類名】明細書
【補正対象項目名】０００９
【補正方法】変更
【補正の内容】
【０００９】
育児用具に取り付ける物品は、主体部と、圧縮可能部材と、主体部を圧縮部材に結合する綱状部材とから構成される。圧縮可能部材は、圧縮されて育児用具に形成した開口部を貫通し、拡大復帰できるように構成されることにより、主体部と圧縮可能部材とが、開口部の両側に位置付けられる。物品は、玩具、人形、ボール、直方体物、角錐物、その他幾何学的形状、鏡、おしゃぶり、動物又は昆虫の形状をした玩具、植物又は花の形状をした玩具、音、光若しくは振動を発生する物品、又はこれらを組み合わせた物品としてよい。圧縮可能部材は、ボール形状、直方体形状、角錐形状、その他幾何学的形状、ボタン形状、葉若しくは花に似た形状、動物形状又は翼に似た形状をしてよい。他の形態として、圧縮可能部材は、第１圧縮可能部材とし、物品は、さらに、主体部に結合された第２圧縮可能部材を備え、第２圧縮可能部材は、また、圧縮されて、育児用具に形成した同じ開口部又は別の開口部を通過し、拡大復帰することにより、主体部と第２圧縮可能部材とが、開口部の両側に位置付けられる。他の形態として、物品は、育児用具と組み合わさっている。育児用具は、プレイジム、ベビーベッド、ベビーサークル、ブランコ、ベビーバウンサー、チャイルドシート付きショッピングカート、折りたたみ式ベビーカー、カーシート、チャイルドシート、プレイパッド、ハイチェア、オムツ替えパッド、又はオムツ替えパッドカバーとしてよい。
【手続補正９】
【補正対象書類名】明細書
【補正対象項目名】００１０
【補正方法】変更
【補正の内容】
【００１０】
【図１Ａ】図１Ａは、本発明の種々の実施形態に適合するベビージムを示すものである。
【図１Ｂ】図１Ｂは、本発明の種々の実施形態に係るパーツの一部を分離した、図１のベビージムを示すものである。
【図１Ｃ】図１Ｃは、図１Ａのベビージムの軌道部材の一端の拡大図である。
【図２】図２は、図１のベビージムに取り付け可能な物品例を示すものである。
【図３Ａ】図３Ａは、別の実施形態に係る物品の取付け状態を示すものである。
【図３Ｂ】図３Ｂは、本発明の種々の実施形態に適合するクリップの一つを示すものである。
【図３Ｃ】図３Ｃは、本発明による別のクリップの一つを下から見た斜視図である。
【図３Ｄ】図３Ｄは、図３Ｃのクリップを下から見た平面図である。
【図４】図４は、別の実施形態に係る物品の取付け状態を示すものである。
【図５】図５は、本発明の種々の実施形態に適合するベビーサークルを示すものである。
【図６】図６は、本発明の種々の実施形態に適合するブランコを示すものである。
【図７】図７は、本発明の種々の実施形態に適合するバウンサーを示すものである。
【図８】図８は、本発明の一部を構成しないチャイルドシート付きショッピングカートを示すものである。
【図８Ａ】図８Ａは、図８のチャイルドシート付きショッピングカートの軌道部材の一端の拡大図である。
【図９】図９は、本発明の一部を構成しないオムツ替えパッドを示すものである。
【手続補正１０】
【補正対象書類名】明細書
【補正対象項目名】００１７
【補正方法】変更
【補正の内容】
【００１７】
ロッド１０７ａ及び１０７ｂの第１端は、天蓋部１０２の、基部パッド１０１に接続する第１脚部１０５ａに沿って延びる。好ましくは、ロッド１０７ａ及び１０７ｂは、表面シート１０６の縁に埋め込まれるが、その他の構成を採用してもよい。第１ロッド１０７ａの第２端も、基部パッド１０１に接続する第２脚部１０５ｂに沿って延び、第２ロッド１０７ｂの第２端は、基部パッド１０１に接続する第３脚部１０５ｃに沿って延びる。こうして、ロッド１０７ａ及び１０７ｂは、その剛性によって、テントがテントポールにより支持されるのと同じように、天蓋部１０２を支持する。
以下、図３Ａを参照しながら詳述するように、クリップ３０１が、ロッド１０７ａにスライド自在に嵌め込まれる。クリップ３０１は、ロッド１７０ａに沿って任意の箇所にスライドすることにより、クリップ３０１に連結する１個以上の玩具の位置を調節できる。このため、育児者にとって、子供に対する玩具の位置を調節するのに好都合となる。例えば、基部パッド１０１から子供を移動する際、オムツを取り換え又は乳児を拭く際、育児者は、クリップ３０１をロッド１０７ａに沿ってスライドするだけで、テント内に難なく入ることができる。子供を楽しみ続けさせるには、スリップ３０１を、玩具がアーチ型の支持体から張り出すようにスライドさせればよい。ロッド１０７ａに取り付けられるように示してあるが、クリップ３０１は、いずれのロッドに連結してもよいことは、明らかである。さらに、１個のロッドに、複数個のクリップを取り付けてもよい。また、複数個の玩具を、図１Ａの玩具１２２及び１２４のように、互いに繋げて、玩具の長さを増やし、また、基部パッド１０１上に吊り下げられた玩具が、種々の位置を取れるようにしてよい。
【手続補正１１】
【補正対象書類名】明細書
【補正対象項目名】００３９
【補正方法】変更
【補正の内容】
【００３９】
図８は、本発明の一部を構成しない、チャイルドシート付きショッピングカート８００を示す。チャイルドシート付きショッピングカート８００は、ショッピングカートに子供用のシート部を組み込み、不衛生な表面部に清潔なライナーを提供するように構成されている。また、チャイルドシート付きショッピングカート８００は、子供が接触する面は、ショッピングカート自体を構成するのに通常用いられる硬くて冷たい材料でなく、柔らかい保護面になっている。こうしたカートは、折りたたみ式ベビーカー、カーシート、ハイチェア、チャイルドシート等、子供を座らせる物品として構成でき、チャイルドシート付きショッピングカート８００の取付け手段は、他の種類のカート類にも適用可能であることは、当業者には、直ちに理解される。チャイルドシート付きショッピングカートは、脚用開口８０１とパッド入り椅子部８０２とを備える。チャイルドシート付きショッピングカートを使用する際に、子供の顔が向くチャイルドシート付きショッピングカートの部分には、ロッド８０３が埋め込まれる。他の実施形態として、ロッド８０３は、チャイルドシート付きショッピングカート８００に縫い込んだ布製筒状部材８２０又は他のシードに包み込むことにより埋め込むか、その他のやり方で埋め込んでもよい。図８Ａに示すように、布製筒状部材８２０は、チャイルドシート付きショッピングカート８００の縫い目８２２に縫い込まれることにより、ロッド８０が入る筒状体を構成する。ロッド８０３を布製筒状部材に入れたら、布製筒状部材の両端８２４を折り返して、図８Ａに示すように、布製筒状部材自体とチャイルドシート付きショッピングカート８００とに縫い付ける。こうする代わりに、別の布地を、布製筒状部材の両端とチャイルドシート付きショッピングカートとに縫い付けて、ロッド８０３の両端が、布製筒状部材から突出しないようにする。クリップ３０１は、ロッド８０３にスライド自在に嵌まっており、クリップ３０１の穴に通した圧縮可能部材を用いて、玩具又はその他の物品８０４をチャイルドシート付きショッピングカートに取り付けてある。通常、スライド式クリップ３０１は、布製筒状部材の両端８２４を布製筒状部材自体に縫い付ける前にロッド８０３と布製筒状部材８２０に嵌めて、クリップ３０１が、ロッド８０３に取り付けられたままになるようにする。この例では、物品８０４は、両方とも、花の形をしており、両方とも、クリップ３０１に形成した同じ穴を利用して取り付けてある。チャイルドシート付きショッピングカートは、上述した方法で物品を取り付ける複数個の穴８０５を備えていてもよい。チャイルドシート付きショッピングカート８００に取り付けられると、物品８０４は、チャイルドシート付きショッピングカートに乗っている子供にとって、喜びと刺激を与えることになり、物品は、チャイルドシート付きショッピングカートに取り付けられているので、落下したり紛失したりする恐れがない。
【手続補正１２】
【補正対象書類名】明細書
【補正対象項目名】００４０
【補正方法】変更
【補正の内容】
【００４０】
図９は、本発明の一部を構成しないオムツ替えパッド９００を示す。オムツ替えパッドは、オムツを取り替える際に乳幼児を寝かせるのに適した大きさと形状をした柔らかなパッドである。例示のオムツ替えパッド９００は、マットレスにシーツをぴったりと敷くように、オムツ替えパッド９００の外表面を覆うように敷いてあるカバー９０１を備える。所望により、カバー９０１の上に、保護ライナー９０２を敷いてもよい。保護ライナーは、オムツ替えパッド９００を保護するように耐水性材料で構成してもよい。オムツ替えパッド９００は、また、上述した取り付け装置及び方法により物品を取り付ける手段を備えてもよい。例えば、１個以上のロッド９０４を、オムツ替えパッド９００の窪み９０３の周囲内縁の縫い目又は外縁で、カバー９０１の幾つかの縫い目に埋め込んでもよい。ロッド９０４は、図９に示すように、特定の縫い目の一部のみに、又は１個以上の縫い目の全体に渡るようにしてよい。ロッド９０４に類似するロッドを、オムツ替えパッド９００に、他の方法でさらに埋め込んでもよい。好ましくは、少なくとも１個のクリップ３０１を、埋め込まれたロッドの各々にスライド自在に嵌める（簡明化のため、図９には、クリップ３０１を１個だけ示してある）。物品９０５のような物品は、上述のように、複数個のクリップのいずれか又は全ての穴を利用して取り付けてもよい。オムツ替えパッド９００は、カバー９０１から突出し、穴９０７が空いた突出部９０６を備えることにより、追加の又は代用的な取り付け箇所を設けるようにしてもよい。例えば、プレイパッドのような他の種類のパッドを、育児に用いてもよく、オムツ替えパッド９００について上述した取り付け手段は、他の種類のパッドにも使用可能であることは、当業者には自明である。